(57)【要約】【課題】ワイヤロープのピッチを目視に頼らず正確に、かつ、簡易に測定する。【解決手段】２つの掴み部１２と、２つの掴み部１２の間に位置し、２つの測定点を決定する２つの測定子４０Ａ及び４２Ａと、２つの掴み部１２を両端に有し、かつ、２つの掴み部１２の間に該測定子を保持する直線状の保持部５２と、を備え、該測定子は、お互いに平行に移動可能であって、かつ、２つの掴み部１２によって掴まれて固定されたワイヤロープ３２に対して垂直に移動可能であり、該測定子の先端部の外形は先端に行くほど細くなっており、直線状の保持部５２は、その長手方向に、該測定子のうち少なくとも１つを移動可能に保持し、さらに、２つの掴み部１２でワイヤロープ３２の２か所を掴んで平坦な水平面に置いたとき、該測定子の先端部を、直上から見たときのワイヤロープ３２の軸心上に位置させることができるようになっている。【選択図】図１
2008122367.tif 000002
【特許請求の範囲】
【請求項１】
ワイヤロープをその径方向に掴んで固定する２つの掴み部と、
前記２つの掴み部の間に位置し、距離を測定するための２つの測定点を決定する２つの測定子と、
前記２つの掴み部を両端に有し、かつ、前記２つの掴み部の間に前記２つの測定子を保持する直線状の保持部と、を備え、
前記２つの測定子は、お互いに平行に移動可能であって、かつ、前記２つの掴み部によって掴まれて固定されたワイヤロープに対して垂直に移動可能であり、さらに、該測定子の先端部の外形は先端に行くほど細くなっており、
前記直線状の保持部は、その長手方向に、前記２つの測定子のうち少なくとも１つを移動可能に保持し、
さらに、前記２つの掴み部でワイヤロープの２か所を掴んで平坦な水平面に置いたとき、前記２つの測定子の先端部を、直上から見たときのワイヤロープの軸心上に位置させることができるようになっていることを特徴とするワイヤロープピッチ測定装置。
【請求項２】
前記２つの掴み部は、それぞれ一対の掴み腕を有し、該一対の掴み腕は回転自由なピン接点でお互いに連結されており、かつ、前記２つの測定子がお互いに平行に移動可能な方向から見たとき、前記２つの測定子の先端部が、前記ピン接点の回転中心となる直線上に位置することを特徴とする請求項１に記載のワイヤロープピッチ測定装置。
【請求項３】
前記２つの掴み部は、それぞれ一対の掴み腕を有し、該一対の掴み腕はワイヤロープを掴むために少なくとも一端を開閉する開閉運動をできるようになっており、さらに、該一対の掴み腕が前記開閉運動をしても、前記直線状の保持部の長手方向から見たときの該一対の掴み腕の対象中心線が、前記２つの測定子がお互いに平行に移動可能な方向と常に平行になるようになっていることを特徴とする請求項１に記載のワイヤロープピッチ測定装置。
【請求項４】
前記一対の掴み腕は、それぞれ歯車を備え、該歯車は相互に噛み合っており、ワイヤロープを掴むために前記一対の掴み腕の一端を開閉しても、該一対の掴み腕それぞれの開き角度が常に同一となるようになっていることを特徴とする請求項３に記載のワイヤロープピッチ測定装置。
【請求項５】
前記２つの測定子がお互いに平行に移動可能な方向と直交する方向であって、かつ、前記直線状の保持部の長手方向と直交する方向から、前記測定子を見たとき、該測定子の先端部の角度が９０°より大きい鈍角であることを特徴とする請求項１〜４のいずれかに記載のワイヤロープピッチ測定装置。
【請求項６】
前記２つの測定子のうち、一方は前記直線状の保持部に固定されており、他方は前記直線状の保持部にスライド移動可能に保持されていることを特徴とする請求項１〜５のいずれかに記載のワイヤロープピッチ測定装置。
【請求項７】
前記直線状の保持部に目盛りが振られていることを特徴とする請求項１〜６のいずれかに記載のワイヤロープピッチ測定装置。
【請求項８】
前記２つの測定点の間の距離を表示するデジタル表示器を備えたことを特徴とする請求項１〜７のいずれかに記載のワイヤロープピッチ測定装置。
【発明の詳細な説明】
【技術分野】
【０００１】
本発明は、ワイヤロープのピッチを目視に頼らず正確に、かつ、簡易に測定することができるワイヤロープピッチ測定装置に関する。
【背景技術】
【０００２】
従来、ワイヤロープのピッチの測定は、図７（Ａ）〜（Ｅ）に示すようにして行われていた。まず、図７（Ａ）に示すように、ワイヤロープ１００上にカーボン紙１０２をはさんだ白紙１０４を置き、白紙１０４の上においてペン１０６等の棒状の物をワイヤロープの長さ方向に滑らせて、白紙１０４にワイヤロープ１００を構成する素線形状を転写させ、その後、図７（Ｂ）に示すように、白紙１０４をワイヤロープ１００上から引き剥がす。次に、図７（Ｃ）、（Ｄ）に示すように、白紙１０４を開き、カーボン紙１０２を取り除くことで、図７（Ｅ）に示すように白紙１０４上に転写された素線形状１０８が得られる。そして、得られた素線形状１０８をノギスや定規で測定することによりワイヤロープのピッチを測定していた。図７は、６ストランドロープを例としており、この場合、転写された素線形状において、６ストランドに相当する間隔を測定することにより、ワイヤロープのピッチを測定できることになる。
【０００３】
この方法では、棒状の物をワイヤロープ上の白紙の上に一定の強さで押し付けるとともに、滑らせる方向をロープの長手方向に一定に保つ必要があるが、作業者の感覚に頼っている。このため、ワイヤロープの形状が正しく転写されないおそれもあり、測定値における誤差が大きくなりやすい。さらに、カーボン紙による転写の濃淡のために測定精度が落ちることもある。
【０００４】
一方、ワイヤロープの表面にノギスや定規を直接当てて測定することも考えられるが、ストランドがワイヤロープ長手方向に対して傾斜しているため、当てる位置がワイヤロープの中心からずれると誤差が大きくなってしまう。また、断面形状が丸い測定対象物にはノギスや定規は当てにくく、精度良く測定することは困難である。
【０００５】
これに対し、特許文献１では、「板状体の物差しの一側縁に板状の補助体の一側縁を山形状に連接して成ることを特徴とする分割導体の撚合ピッチ測定具。」（図８参照）が提案されている。この撚合ピッチ測定具１１０は、物差し１１２の一端に補助体１１４を連接したものであり、分割導体１１８の長手方向に沿って分割導体１１８の上に乗せ、ピッチｐを目盛り１１６により目視で読み取るものである。
【０００６】
また、特許文献２では、「測定対象であるＭ本（Ｍ：２以上の整数）の素線が撚り合わされた撚線を直線状に保持するための保持溝が設けられた試料保持部と、前記保持溝に保持された前記撚線を押圧して固定する透明な材料で形成された押え板と、前記撚線の中心軸を含む第１平面と平行な第２平面を仮定し、前記第２平面に含まれる前記中心軸と平行な直線上で第１カーソルを移動可能、かつ、固定可能で、前記撚線を構成するいずれか一の素線上の第１の所定位置に設定した測定基準点を前記第２平面に投影した投影測定基準点に前記第１カーソルを合せるための基準点設定部と、前記直線上で第２カーソルを移動可能で、前記撚線を構成するいずれか一の素線上の前記第１の所定位置とは異なる第２の所定位置に設定した測定点を前記第２平面に投影した投影測定点に前記第２カーソルを合せるための測定点設定部と、前記第１カーソルと前記第２カーソルとの間の距離を撚りピッチのＮ／Ｍ倍（Ｎ：自然数）の値として表示する表示部と、を備えたことを特徴とする撚りピッチ測定装置」が提案されている。
【０００７】
【特許文献１】実開昭６２−４２００３号公報
【特許文献２】特開平９−１５２３０１号公報
【発明の開示】
【発明が解決しようとする課題】
【０００８】
特許文献１及び２で提案されている技術は、どちらもワイヤロープ上の２点間の距離を測定することでワイヤロープのピッチを測定する技術であるが、その２点は目視で決められており、測定値には誤差が入りやすい。
【０００９】
本発明はかかる問題点に鑑みてなされたものであって、ワイヤロープのピッチを目視に頼らず正確に、かつ、簡易に測定することができる測定装置を提供することを目的とする。
【課題を解決するための手段】
【００１０】
本発明者は、目視に頼らないでワイヤロープのピッチを測定するためには、測定子をワイヤロープ表面に押し当てることにより、機械的に距離測定のための２点を決める必要があると考えた。具体的には、ストランド同士の間の谷部の中心に測定子の先端部を差し込んで測定用の２点を決めればよいと考えた。
【００１１】
この測定子としてはノギスのジョウを用いることも考えたが、市販ノギスのジョウはストランド同士の谷部に入らないため用いることはできなかった。そこで、ノギスのジョウを改良し、先端部の形状を先端に行くほど細くなる形状にし、測定位置であるストランド同士の谷部の中心に先端部の頂点がくるようにした。
【００１２】
また、ワイヤロープを構成するストランドはワイヤロープ長手方向に対して傾斜しているため、ワイヤロープを平坦な水平面の上に置いたときに、測定子の先端部を差し込む位置が直上から見たワイヤロープの軸心からずれると正確な測定ができなくなるので、測定子の先端部を当てる位置が直上から見たワイヤロープの軸心からずれないようにできるようにした。
【００１３】
即ち、本発明に係るワイヤロープピッチ測定装置は、ワイヤロープをその径方向に掴んで固定する２つの掴み部と、前記２つの掴み部の間に位置し、距離を測定するための２つの測定点を決定する２つの測定子と、前記２つの掴み部を両端に有し、かつ、前記２つの掴み部の間に前記２つの測定子を保持する直線状の保持部と、を備え、前記２つの測定子は、お互いに平行に移動可能であって、かつ、前記２つの掴み部によって掴まれて固定されたワイヤロープに対して垂直に移動可能であり、さらに、該測定子の先端部の外形は先端に行くほど細くなっており、前記直線状の保持部は、その長手方向に、前記２つの測定子のうち少なくとも１つを移動可能に保持し、さらに、前記２つの掴み部でワイヤロープの２か所を掴んで平坦な水平面に置いたとき、前記２つの測定子の先端部を、直上から見たときのワイヤロープの軸心上に位置させることができるようになっていることを特徴とする。
【００１４】
例えば、前記２つの掴み部に、それぞれ一対の掴み腕を備えさせ、該一対の掴み腕を回転自由なピン接点でお互いに連結し、かつ、前記２つの測定子がお互いに平行に移動可能な方向から見たとき、前記２つの測定子の先端部が、前記ピン接点の回転中心となる直線上に位置するようにすることで、ワイヤロープピッチの測定を正確にすることができる。
【００１５】
また、前記２つの掴み部に、それぞれ一対の掴み腕を備えさせ、該一対の掴み腕はワイヤロープを掴むために少なくとも一端を開閉する開閉運動をできるようにし、さらに、該一対の掴み腕が前記開閉運動をしても、前記直線状の保持部の長手方向から見たときの該一対の掴み腕の対象中心線が、前記２つの測定子がお互いに平行に移動可能な方向と常に平行になるようにすることで、ワイヤロープピッチの測定をより正確にすることができる。
【００１６】
具体的には、例えば、前記一対の掴み腕に、それぞれ歯車を備えさせ、該歯車は相互に噛み合うようにし、ワイヤロープを掴むために前記一対の掴み腕の一端を開閉しても、該一対の掴み腕それぞれの開き角度が常に同一となるようにすることが考えられる。
【００１７】
ここで、開き角度とは、前記２つの測定子がお互いに平行に移動可能な方向に対する、掴み腕の軸心のなす角度のことである。軸心とは、部材の断面の図心点を連ねた線のことである。
【００１８】
前記２つの測定子がお互いに平行に移動可能な方向と直交する方向であって、かつ、前記直線状の保持部の長手方向と直交する方向から、前記測定子を見たとき、該測定子の先端部の角度が９０°より大きい鈍角であることが好ましい。
【００１９】
前記２つの測定子のうち、一方を前記直線状の保持部に固定し、他方を前記直線状の保持部にスライド移動可能に保持してもよい。
【００２０】
前記直線状の保持部に目盛りを振ってもよいし、また、前記２つの測定点の間の距離を表示するデジタル表示器を備えさせてもよい。
【発明の効果】
【００２１】
本発明に係るワイヤロープピッチ測定装置の両端に位置する２つの掴み部でワイヤロープの２か所を掴んで平坦な水平面の上に置いたとき、２つの測定子の先端部を、直上から見たときのワイヤロープの軸心上に位置させることができるようになっている。このため、本発明に係るワイヤロープピッチ測定装置を用いてワイヤロープのピッチを測定すれば、距離測定のための２点を確実に直上から見たワイヤロープの軸心上に位置させることができ、目視で２つの測定点を定めていたときのような測定誤差は生じにくくなる。
【００２２】
また、ワイヤロープのストランド数に応じた間隔に対応する２か所のストランド同士の谷部に、２つの測定子の先端部を差し込むことでワイヤロープピッチを測定することができ、簡易に測定することができる。
【００２３】
また、２つの掴み部に、それぞれ一対の掴み腕を設け、該一対の掴み腕がワイヤロープを掴むために開閉運動をしても、直線状の保持部の長手方向から見たときの該一対の掴み腕の対象中心線が、２つの測定子がお互いに平行に移動可能な方向と常に平行になるようにした場合、使用中のワイヤロープに対して計測する場合等のように、平坦な水平面の上に載置しにくい場合であっても、簡易に正確にワイヤロープピッチを計測することができる。
【発明を実施するための最良の形態】
【００２４】
以下、図面を参照して、本発明の実施形態を詳細に説明する。
【００２５】
図１に、本発明の第１実施形態に係るワイヤロープピッチ測定装置１０の（Ａ）正面図および（Ｂ）（Ａ）のＩ−Ｉ線に沿う水平断面図を示す。ワイヤロープピッチ測定装置１０は、掴み部１２と、測定位置決定部１４と、保持部１６と、を有してなる。
【００２６】
掴み部１２は、同じ形状の掴み部１２Ａと１２Ｂとからなり、どちらも図２に示すように、一対の掴み腕１８と、バネ２０とを有してなる。一対の掴み腕１８は、バネ２０の両端に位置し、バネ２０からの力を受ける２つの支圧板２２と、ワイヤロープ３２に直接接してはさみ込む２つのはさみ板２４と、一端に支圧板２２を有し、他端にはさみ板２４を有し、バネ２０からの力を２つのはさみ板２４が閉じる向きに２つのはさみ板２４に伝達する２つの応力伝達材２６と、一端が応力伝達材２６の中間部付近に連結固定され、他端が回転可能にピン２８によりお互いに連結された２つの連結材３０と、からなる。図２（Ａ）はワイヤロープ３２をはさむ前の側面図であり、図２（Ｂ）はワイヤロープ３２をはさんだ後の側面図である。
【００２７】
測定位置決定部１４は、固定側測定位置決定部４０と移動側測定位置決定部４２とからなる。固定側測定位置決定部４０及び移動側測定位置決定部４２は、それぞれ測定子４０Ａ及び４２Ａを有する。固定側測定位置決定部４０の測定子４０Ａは、保持部１６（スライド板５２）に固定されたスライダ４０Ｂにスライド移動可能に連結されており、掴み部１２Ａ、１２Ｂによって掴まれて固定されたワイヤロープ３２に対して垂直方向（スライド板５２の幅方向）にスライド移動可能である。移動側測定位置決定部４２の測定子４２Ａは、スライダ４２Ｂにスライド移動可能に連結されており、掴み部１２Ａ、１２Ｂによって掴まれて固定されたワイヤロープ３２に対して垂直方向（スライド板５２の幅方向）にスライド移動可能である。スライダ４２Ｂは、保持部１６（スライド板５２）の長手方向を自由にスライド移動できるスライダ４２Ｃに連結固定されている。
【００２８】
測定子４０Ａ及び４２Ａの先端部は、先端に行くほど細くなる形状であり、ストランド同士の谷部に差し込むことができるようになっている。先端部の形状は、円錐状でも良く、また四角錐状等であっても良い。図３に、測定子の先端部の形状が四角錐となっている場合の例を示す。図３（Ａ）は、図１のようにワイヤロープをはさみ込んだ場合に、正面方向（測定子４０Ａ及び４２Ａがお互いに平行にスライド移動する方向と直交する方向であって、かつ、スライド板５２の長手方向と直交する方向）から測定子を見た正面図であり、図３（Ｂ）は、ワイヤロープの長手方向から見た側面図である。図３（Ａ）及び（Ｂ）に示した数値はおおよその目安である。
【００２９】
また、図１（Ｂ）の水平断面図に示すように、測定子４０Ａ及び４２Ａがスライド移動する方向から見たときに、測定子４０Ａ及び４２Ａの先端部が、ピン２８の回転中心となる直線と同一直線上にくるようにすることが必要である。このようにすることで、ワイヤロープピッチ測定装置１０を水平で平坦な台の上に置き、掴み部１２Ａと１２Ｂの合計４つのはさみ板２４の下端が全て平坦な台の表面に接触するようにしたときに、一対の掴み腕１８それぞれの開き角度は同じ角度となり、測定子４０Ａ及び４２Ａの先端部は、真上から見たときのワイヤロープの軸心上に位置することになる。
【００３０】
保持部１６は、剛性のあるスライド板５２と、スライド板５２を掴み部１２のピン２８に連結する連結材５４とからなる。スライド板５２には、固定側測定位置決定部４０のスライダ４０Ｂが連結固定されており、また、移動側測定位置決定部４２のスライダ４２Ｃがスライド板５２の長手方向に自由にスライド移動できるように連結されている。
【００３１】
連結材５４は、図１（Ｂ）に示すように、ピン２８と、スライド板５２とを中心線をずらして接続しており、測定子４０Ａ及び４２Ａがスライドする方向と平行な方向から見たときに、測定子４０Ａ及び４２Ａの先端部がピン２８の回転中心となる直線上にくるようにしている。
【００３２】
スライド板５２に目盛りを振っておけば、その目盛りを読むことで、固定側測定位置決定部４０の測定子４０Ａの先端部と移動側測定位置決定部４２の測定子４２Ａの先端部との間の距離を測定することができる。
【００３３】
また、図１に示すように、スライド板５２とスライダ４２Ｃでリニアエンコーダを構成し、移動側測定位置決定部４２のスライダ４２Ｂ及びスライダ４２Ｃに、該リニアエンコーダの測定値を表示するデジタル表示器４２Ｄを取り付け、デジタル表示器４２Ｄに、固定側測定位置決定部４０の測定子４０Ａの先端部と移動側測定位置決定部４２の測定子４２Ａの先端部との間の距離を表示させてもよい。
【００３４】
次に、本発明の実施形態に係るワイヤロープピッチ測定装置１０を用いて、実際にワイヤロープのピッチを測定する場合について説明する。ここでは、６本のストランドからなるワイヤロープの場合について説明する。
【００３５】
（１）まず、２つの掴み部１２Ａ及び１２Ｂにワイヤロープ３２をはさみ込むが、この際には、バネ２０を縮める方向に手で力を加え、２つのはさみ板２４の間隔を広げて、ワイヤロープ３２を２つのはさみ板２４の間にはさみ込ませる。
【００３６】
（２）ワイヤロープ３２をはさみ込んだワイヤロープピッチ測定装置１０を、表面が平坦で水平な台の上に置き、掴み部１２Ａ及び１２Ｂの合計４つのはさみ板２４の下端が全て前記水平な台の表面に接触するようにする。このようにすることで、掴み部１２Ａ及び１２Ｂがそれぞれ有する一対の掴み腕１８のそれぞれの開き角度は同一となり、固定側測定位置決定部４０の測定子４０Ａの先端部と移動側測定位置決定部４２の測定子４２Ａの先端部は、どちらも真上から見たときのワイヤロープの軸心上に位置することになる。このため、正確なワイヤロープピッチの測定が可能となる。
【００３７】
（３）固定側測定位置決定部４０の測定子４０Ａの先端部を下方向にスライド移動させつつ、ワイヤロープピッチ測定装置１０のワイヤロープ３２に対する位置を調整して、測定子４０Ａの先端部をワイヤロープ３２の任意のストランド谷部に差し込ませ、固定側測定位置決定部４０の位置を決める。
【００３８】
（４）次に、ストランド６本分だけ、移動側測定位置決定部４２のスライダ４２Ｃを水平方向にスライド移動させつつ、移動側測定位置決定部４２の測定子４２Ａの先端部を下方向にスライド移動させて、測定子４２Ａの先端部をストランド谷部に差し込ませる。該先端部はストランドに接触しながら谷部の中心に収まる。
【００３９】
（５）固定側測定位置決定部４０の測定子４０Ａの先端部と、移動側測定位置決定部４２の測定子４２Ａの先端部との間の距離を、デジタル表示器４２Ｄから読み取る。
【００４０】
上記のようにして、本発明の実施形態に係るワイヤロープピッチ測定装置１０を用いてワイヤロープのピッチを測定した結果、測定誤差は０．３％以下となり、従来の測定方法で測定した場合に生じる最大の測定誤差３％の１０分の１程度となった。
【００４１】
次に、本発明の第２実施形態に係るワイヤロープピッチ測定装置６０について説明する。図４は、本発明の第２実施形態に係るワイヤロープピッチ測定装置６０を示す側面図（掴んだワイヤロープの長手方向から見ている）であり、図５は、ワイヤロープピッチ測定装置６０が備える２つの同一の掴み部６１の一方を示す正面図である。第２実施形態に係るワイヤロープピッチ測定装置６０は、第１実施形態に係るワイヤロープピッチ測定装置１０の掴み部１２について改良したものである。
【００４２】
第２実施形態に係るワイヤロープピッチ測定装置６０の掴み部６１は、掴み腕６２と、歯車６４と、支持部材６６と、ボルト６８と、ナット７０と、ワッシャ７２と、スペーサ７４とを有してなる。
【００４３】
掴み腕６２は２つあって対になっており、それぞれの掴み腕６２は、応力伝達腕６２Ａと、押え板６２Ｂと、はさみ板６２Ｃとからなり、掴み腕６２はワイヤロープ３２をはさんで固定する役割を有する。２つの応力伝達腕６２Ａの上端部には、それぞれ歯車６４が、図示せぬピンにより固定されて取り付けられている。
【００４４】
支持部材６６は、直方体形状の部材であり、一端の上部に、図４に示すように２つのボルト６８が水平方向に並んで取り付けられており、他端には、スライド板５２が、幅方向が図５の下方向となるように固定して取り付けられている。
【００４５】
ボルト６８は突起部６８Ａを有しており、突起部６８Ａより先の部分が支持部材６６に埋め込まれて固定されている。上端部に歯車６４が固定されて取り付けられている応力伝達腕６２Ａは、歯車６４とともにボルト６８に回動可能に貫通して取り付けられており、図５において、右から順に、突起部６８Ａ、歯車６４、応力伝達腕６２Ａの順で並んでいる。さらに応力伝達腕６２Ａの左側には、右から順に、円形のスペーサ７４、ワッシャ７２、ナット７０の順で、ボルト６８に貫通して取り付けられており、応力伝達腕６２Ａおよび歯車６４はボルト６８を中心として回動できるようになっている。
【００４６】
２つの応力伝達腕６２Ａの上端部にそれぞれ固定されて取り付けられた歯車６４は、対となっており、この一対の歯車は噛み合わされている。このため、図４に示すように、一対の掴み腕６２（応力伝達腕６２Ａ）それぞれの開き角度は常に同一になるようになっており、一対の掴み腕６２をスライド板５２の長手方向から見た際の一対の掴み腕６２についての対象中心線Ｌは、掴み腕６２を開閉してもスライド板５２に対して相対的に回転することはなく、常に、測定子４０Ａ及び４２Ａがお互いに平行にスライド移動する方向（図４において上下方向）と平行になっている。
【００４７】
このため、第１実施形態とは異なり、ワイヤロープ３２をはさみ込んで計測する際に、表面が平坦で水平な台の上にワイヤロープピッチ測定装置１０全体を置いて、掴み部１２Ａ及び１２Ｂの合計４つのはさみ板２４の下端が全て前記水平な台の表面に接触するようにしなくても、固定側測定位置決定部４０の測定子４０Ａの先端部と移動側測定位置決定部４２の測定子４２Ａの先端部は、どちらも、測定子４０Ａ及び４２Ａの先端部がお互いに平行にスライド移動する方向から見たときのワイヤロープの軸心上に位置することになるので、正確な計測が可能となる。このため、使用中のワイヤロープに対して計測する場合等のように、水平な台の上に載置しにくい場合であっても、第２実施形態に係るワイヤロープピッチ測定装置５０を用いることにより、簡易に正確にワイヤロープピッチを計測することができる。
【００４８】
なお、第１実施形態に係るワイヤロープピッチ測定装置１０における掴み部１２の構造は、一対の掴み腕１８がピン２８を中心として自由に回転できる構造となっており、一対の掴み腕１８をスライド板５２の長手方向から見た際の一対の掴み腕１８についての対象中心線が、測定子４０Ａ及び４２Ａがお互いに平行にスライド移動する方向に対して相対的に回転できるようになっている。このため、１対の掴み腕１８それぞれの開き角度を同一とするためには、前述のように、ワイヤロープ３２をはさみ込んだワイヤロープピッチ測定装置１０を、表面が平坦で水平な台の上に置き、掴み部１２Ａ及び１２Ｂの合計４つのはさみ板２４の下端が全て前記水平な台の表面に接触するようにすることが必要である。
【００４９】
以上、第１実施形態および第２実施形態について説明してきたが、ワイヤロープをはさみ込む機構は、掴み部１２、６１の機構のように、掴み腕１８、６２を円周方向に開閉する機構に限られず、例えば図２においてピン２８による連結をやめ、２つの連結材３０を水平方向にスライド移動可能なように連結し、スライド移動により開閉する機構としてもよい。
【００５０】
また、測定子４０Ａ、４２Ａの先端部の形状は、図３（Ａ）、（Ｂ）に示すような、正面方向から見た先端部の角度が４０°となるような鋭角な四角錐でなくてもよく、むしろ、正面方向から見た先端部の角度は９０°より大きい鈍角の方が好ましい。例えば、図６（Ａ）（正面図）、（Ｂ）（側面図）に示すように、正面方向から見た先端部の角度を１１０°程度と大きくする方が好ましい。四角錐の先端部の角度が小さく、鋭角であると、測定子の先端部が測定時にストランド同士の間に入り込み過ぎ、先端部の鋭い頂点がワイヤロープの芯綱や素線に突き刺さり、ストランド同士の真ん中ではない位置で止まってしまうことがあるからである。
【００５１】
正面方向から見た先端部の角度を９０°より大きい鈍角、例えば図６（Ａ）に示すように１１０°程度とすると、先端部の頂点がストランド同士の間に入り込み過ぎることはなく、頂点がワイヤロープ３２の芯綱まで到達せず、また、素線に突き刺さることもない。このため、隣り合うストランドの表面の円周方向に沿って測定子４０Ａ、４２Ａの先端部が下降し、隣り合うストランド間の中心位置に測定子４０Ａ、４２Ａの先端部が確実に位置することになり、正確な計測が可能となる。なお、図６（Ａ）、（Ｂ）に示した数値はおおよその目安である。
【００５２】
以上説明してきたように、本発明に係るワイヤロープピッチ測定装置を用いれば、簡易な方法で、正確なワイヤロープのピッチの測定をすることができる。
【００５３】
また、本発明に係るワイヤロープピッチ測定装置は、ワイヤロープ製造時の検査、製品ワイヤロープの使用前検査、使用中の天井クレーンに取り付けた状態のワイヤロープの検査、使用後に取り外されたワイヤロープの検査等に用いることができ、ワイヤロープの使用状態を問わずに使用可能である。
【図面の簡単な説明】
【００５４】
【図１】本発明の第１実施形態に係るワイヤロープピッチ測定装置を示す（Ａ）正面図および（Ｂ）（Ａ）のＩ−Ｉ線に沿う水平断面図
【図２】前記ワイヤロープピッチ測定装置の掴み部を示す、掴んだワイヤロープの長手方向から見た側面図であって、（Ａ）ワイヤロープをはさむ前の側面図、（Ｂ）ワイヤロープをはさんだ後の側面図
【図３】前記ワイヤロープピッチ測定装置の測定子を示す、（Ａ）図１のようにワイヤロープをはさみ込んだ場合に正面（ワイヤロープの長手方向に対して垂直な方向）から見た正面図および（Ｂ）ワイヤロープの長手方向から見た側面図
【図４】本発明の第２実施形態に係るワイヤロープピッチ測定装置を示す、掴んだワイヤロープの長手方向から見た側面図
【図５】前記ワイヤロープピッチ測定装置の掴み部の一方を示す正面図
【図６】（Ａ）前記ワイヤロープピッチ測定装置の測定子を示す正面図、（Ｂ）同じく側面図
【図７】従来のワイヤロープピッチを測定する方法を示す説明図
【図８】特許文献１に記載の撚合ピッチ測定具の一実施例を示す斜視図
【符号の説明】
【００５５】
１０、６０…ワイヤロープピッチ測定装置
１２、１２Ａ、１２Ｂ…掴み部
１４…測定位置決定部
１６…保持部
１８…掴み腕
２０…バネ
２２…支圧板
２４…はさみ板
２６…応力伝達材
２８…ピン
３０…連結材
３２…ワイヤロープ
４０…固定側測定位置決定部
４２…移動側測定位置決定部
４０Ａ、４２Ａ…測定子
４０Ｂ、４２Ｂ、４２Ｃ…スライダ
４２Ｄ…デジタル表示器
５２…スライド板
５４…連結材
６１…掴み部
６２…掴み腕
６２Ａ…応力伝達腕
６２Ｂ…押え板
６２Ｃ…はさみ板
６４…歯車
６６…支持部材
６８…ボルト
６８Ａ…突起部
７０…ナット
７２…ワッシャ
７４…スペーサ
【図１】
2008122367.tif 000003
【図２】
2008122367.tif 000004
【図３】
2008122367.tif 000005
【図４】
2008122367.tif 000006
【図５】
2008122367.tif 000007
【図６】
2008122367.tif 000008
【図７】
2008122367.tif 000009
【図８】
2008122367.tif 000010